(57)【要約】【課題】温度や湿度の影響による印字可能領域の変化、大判プリンタにおける印字後のカット設定の変化に対応することができる印刷システムを提供することを目的とする。【解決手段】印刷ジョブを作成、送信するホスト装置と、受信した印刷ジョブを印刷する印刷装置とからなり、印刷ジョブをホスト装置から印刷装置へ送信する前に、印刷設定情報をホスト装置から印刷装置に通知する通知機能を具備する印刷システムであって、上記印刷装置は、上記通知された印刷設定情報を受信し、印刷装置の周囲の環境情報を検知し、通知された上記印刷設定情報について、検知された環境情報に対して、通知された印刷設定で印刷できるか否かを判断し、印刷できなければ印刷できるように変更した印刷設定情報を上記ホスト装置に返信し、上記ホスト装置は、上記返信された変更がある印刷設定情報を元に、印刷プレビューを表示する。【選択図】図６
2010282427.tif 000002
【特許請求の範囲】
【請求項１】
印刷ジョブを作成、送信するホスト装置と、受信した印刷ジョブを印刷する印刷装置とからなり、印刷ジョブをホスト装置から印刷装置へ送信する前に、印刷設定情報をホスト装置から印刷装置に通知する通知機能を具備する印刷システムであって、
上記印刷装置は、
上記通知された印刷設定情報を受信する受信手段と；
印刷装置の周囲の環境情報を検知する検知手段と；
通知された上記印刷設定情報について、上記検知手段が検知した環境情報に対して、通知された印刷設定で印刷できるか否かを判断し、印刷できなければ印刷できるように変更した印刷設定情報を上記ホスト装置に返信する返信手段と；
を有し、
上記ホスト装置は、上記返信された変更がある印刷設定情報を元に、印刷プレビューを表示する表示手段を有することを特徴とする印刷システム。
【請求項２】
請求項１であって、
上記印刷設定情報は、用紙種類、用紙サイズ、カット設定、レイアウト情報の少なくとも１つであることを特徴とする印刷システム。
【請求項３】
請求項１であって、
上記検知手段が検知する環境情報は、温湿度であることを特徴とする印刷システム。
【請求項４】
請求項１であって、
上記表示手段は、変更される前の印刷設定情報による印刷プレビューを表示するとともに上記変更がある印刷設定情報による印刷プレビューを表示する手段であることを特徴とする印刷システム。
【請求項５】
印刷ジョブを作成、送信するホスト装置と、受信した印刷ジョブを印刷する印刷装置とからなり、印刷ジョブをホスト装置から印刷装置へ送信する前に、印刷設定情報をホスト装置から印刷装置に通知する通知機能を具備する印刷システムにおける印刷方法であって、
上記印刷装置において、
上記通知された印刷設定情報を受信する受信工程と；
印刷装置の周囲の環境情報を検知する検知工程と；
通知された上記印刷設定情報について、上記検知工程が検知した環境情報に対して、通知された印刷設定で印刷できるか否かを判断し、印刷できなければ印刷できるように変更した印刷設定情報を上記ホスト装置に返信する返信工程と；
を有し、
上記ホスト装置においては、上記返信された変更がある印刷設定情報を元に、印刷プレビューを表示する表示工程を有することを特徴とする印刷方法。
【請求項６】
請求項５であって、
上記印刷設定情報は、用紙種類、用紙サイズ、カット設定、レイアウト情報の少なくとも１つであることを特徴とする印刷方法。
【請求項７】
請求項５であって、
上記検知工程が検知する環境情報は、温湿度であることを特徴とする印刷方法。
【請求項８】
請求項５であって、
上記表示工程は、変更される前の印刷設定情報による印刷プレビューを表示するとともに上記変更がある印刷設定情報による印刷プレビューを表示する工程であることを特徴とする印刷方法。
【発明の詳細な説明】
【技術分野】
【０００１】
本発明は、印刷ジョブを作成、送信するホスト装置と、受信した印刷ジョブを印刷する印刷装置とからなる印刷システム及び印刷方法に係り、特に、印刷プレビューに関する。
【背景技術】
【０００２】
従来から、印刷を行う上で、印刷前に印刷結果を確認する機能として、印刷プレビューの機能が知られている。
【０００３】
特に、大判プリンタでは、大きな用紙に印刷するので、用紙、インク、時間など、失敗時のコストが高く、印刷プレビューで確認することによる失敗防止は、非常に効果的である。
【０００４】
従来の印刷装置では、主にプリンタドライバの設定値に基づいてプレビュー表示するが、印刷装置本体が置かれている環境による変化に対応したプレビュー表示手段が提案されている（たとえば、特許文献１参照）。
【先行技術文献】
【特許文献】
【０００５】
【特許文献１】特開２００５−２４２８１４号公報
【発明の概要】
【発明が解決しようとする課題】
【０００６】
上記特許文献１記載の従来例では、印刷装置本体が置かれている環境による変化に対応できるのは、印字の濃さなど、画像データのみであり、温度や湿度の影響による印字可能領域の変化、大判プリンタにおける印字後のカット設定の変化には対応できない。
【０００７】
したがって、上記従来例では、実際の印刷結果を、プレビューで正確に視認できないという問題がある。また、上記従来例では、印刷装置によって変更されたこれらの情報を、ホスト装置に返す系が存在しないので、プレビュー画像は、印刷装置本体でしか表示することができないという問題がある。
【０００８】
本発明は、温度や湿度の影響による印字可能領域の変化、大判プリンタにおける印字後のカット設定の変化に対応することができる印刷システムを提供することを目的とする。
【課題を解決するための手段】
【０００９】
本発明は、印刷ジョブを作成、送信するホスト装置と、受信した印刷ジョブを印刷する印刷装置とからなり、印刷ジョブをホスト装置から印刷装置へ送信する前に、印刷設定情報をホスト装置から印刷装置に通知する通知機能を具備する印刷システムであって、上記印刷装置は、上記通知された印刷設定情報を受信する受信手段と、印刷装置の周囲の環境情報を検知する検知手段と、通知された上記印刷設定情報について、上記検知手段が検知した環境情報に対して、通知された印刷設定で印刷できるか否かを判断し、印刷できなければ印刷できるように変更した印刷設定情報を上記ホスト装置に返信する返信手段とを有し、上記ホスト装置は、上記返信された変更がある印刷設定情報を元に、印刷プレビューを表示する表示手段を有することを特徴とする印刷システムである。
【発明の効果】
【００１０】
本発明は、印刷ジョブのプレビュー表示する場合、ホスト装置は、印刷設定情報を印刷実行前に印刷装置に通知し、印刷装置は、周囲の環境によって、印刷設定情報を更新し、ホスト装置に返信する。また、ホスト装置は、更新して返信された印刷設定情報をもとにプレビュー表示するので、環境の影響による変化に対応した正確なプレビュー表示を行うことができるという効果を奏する。
【図面の簡単な説明】
【００１１】
【図１】本発明の実施例１である印刷システム１００を示すブロック図である。
【図２】ホスト装置１の構成を示すブロック図である。
【図３】プリンタドライバの設定を確認等するユーザインタフェース３００を示す。
【図４】印刷プレビューを表示するユーザインタフェース４００を示す図である。
【図５】プリンタ２の環境情報判断処理を示すフローチャートである。
【図６】プレビュー処理の概要を示すフローチャートである。
【図７】印刷プレビューのユーザインタフェース４００を示す図である。
【図８】プリンタ２の構成を示すブロック図である。
【発明を実施するための形態】
【００１２】
発明を実施するための形態は、次の実施例である。
【実施例１】
【００１３】
図１は、本発明の実施例１である印刷システム１００の概略構成を示すブロック図である。なお、既に説明した部分には同一符号を付し重複説明を省略する。
【００１４】
印刷システム１００は、印刷ジョブを作成、送信するホスト装置と、受信した印刷ジョブを印刷する印刷装置とからなり、印刷ジョブをホスト装置から印刷装置へ送信する前に、印刷設定情報をホスト装置から印刷装置に通知する通知機能を具備する。
【００１５】
印刷システム１００は、ホスト装置１と、Ａ０、Ｂ０など、大きなサイズの記録媒体に記録するプリンタ２とを有する。
【００１６】
ホスト装置１は、パーソナルコンピュータ（ＰＣ）等で構成され、オペレーティングシステム（以下、ＯＳ）１０１と、アプリケーション１０２と、プリンタドライバ１０３とがインストールされている。プリンタドライバ１０３は、プリンタ２を制御するソフトウェアであり、アプリケーション１０２は、各種文書を作成する。ホスト装置１では、アプリケーション１０２によって作成される各種のドキュメントを印刷するために、ＯＳ１０１とプリンタドライバ１０３とが動作する。
【００１７】
また、プリンタドライバ１０３は、ユーザインタフェース部１０４と、グラフィックス処理部１０５と、印刷プレビュー制御部１０６と、プリンタ情報取得部１０７とによって構成されている。プリンタドライバ１０３は、アプリケーション１０２によって作成されたドキュメントをプリンタ２が解釈できるプリントコマンドと画像データに変換して印刷ジョブとしてプリンタ２へ送信する。プリンタ２は、この印刷ジョブを受信してロール紙等の記録媒体上にプリントする。
【００１８】
ユーザインタフェース部１０４は、ユーザからの入力を受け付ける。グラフィックス処理部１０５は、プリンタ２に送信する印刷データを生成する。印刷プレビュー制御部１０６は、印刷レイアウト等を確認する印刷プレビューを制御する。プリンタ情報取得部１０７は、プリンタ２に装着されているロール紙幅情報や現在のプリンタ２の状態など各種プリンタ情報を取得する。
【００１９】
実施例１の主要部分は、プリンタドライバ１０３、特に印刷プレビュー制御部１０６に含まれている。
【００２０】
図２は、ホスト装置１の構成を示すブロック図である。
【００２１】
ホスト装置１は、ＣＰＵ２０１と、ＲＯＭ２０２と、ＲＡＭ２０３と、通信Ｉ／Ｆ２０４と、外部記憶装置２０５と、入力部２０６と、表示部２０７と、これらを接続するバスを有する。
【００２２】
ＣＰＵ２０１は、ホスト装置１の全体の各種制御を行う。ＲＯＭ２０２は、ホスト装置１の起動時にＣＰＵ２０１が実行する初期化プログラムや各種データが格納されている。ＲＡＭ２０３は、ＣＰＵ２０１に対するメインメモリや作業領域として用いられる。
【００２３】
外部記憶装置２０５は、たとえば、ハードディスク（ＨＤＤ）等で構成され、各種プログラムが格納されている。ＲＡＭ２０３は、後述するフローチャートに示す処理を実現するプログラムを格納し、このプログラムは、外部記憶装置（ＨＤＤ）２０５からロードされる。入力部２０６は、キーボードやマウス等で構成され、ＣＰＵ２０１に、各種指示入力を行う。表示部２０７は、ＬＣＤやＣＲＴなどで構成され、ＣＰＵ２０１の制御によって各種表示を行う。通信Ｉ／Ｆ２０４は、プリンタ２等の周辺装置との間で印刷ジョブデータや制御信号を通信する。
【００２４】
プリンタ２は、ロール紙給紙ユニットを備え、プリンタドライバが許容する範囲内で、任意の長さの原稿を印刷する。また、カット紙用の給紙口を有し、ロール紙のみならずカット紙に印刷することができる。
【００２５】
図８は、プリンタ２のハードウェア構成を示す図である。図８において、ＣＰＵ８０１は、プリンタ２の全体の各種制御を行う。ＲＯＭ８０２は、プリンタ２の起動時にＣＰＵ８０１が実行する初期化プログラムやプリンタ２の動作を制御する各種プログラムや各種データが格納されている。ＲＡＭ８０３は、ＣＰＵ８０１に対するメインメモリや作業領域として用いられる。
【００２６】
外部記憶装置８０５は、たとえば、ハードディスク（ＨＤＤ）等で構成され、ＲＯＭ８０２に格納されているプログラムと同様にプリンタ２の動作を制御する各種プログラムが格納されている。また、外部記憶装置８０５は、ホスト装置１から受信したジョブのデータ（画像データとプリントコマンドを含む）を記憶する。ＲＡＭ８０３は、後述する図５と図６のフローチャートに示す処理を実現するプログラムを格納し、このプログラムは、外部記憶装置（ＨＤＤ）８０５からロードされる。入力部８０６は、キーボードやマウス等で構成され、ＣＰＵ８０１に、各種指示入力を行う。また、ＲＡＭ８０３はプリント部８０８へ転送する画像データを記憶する。表示部８０７は、ＬＣＤやＣＲＴなどで構成され、ＣＰＵ８０１の制御によって各種表示を行う。通信Ｉ／Ｆ８０４は、ホスト装置１との間でジョブデータや制御信号を通信する。
【００２７】
さらに、プリンタ２は、プリンタ周囲の温度及び湿度を検知するセンサとそのセンサが接続されたセンサ制御部とを有する。さらにプリンタ２は、ホスト装置から受信した画像を、ロール状の記録紙等の記録媒体にインクジェット方式によりプリントするプリント部とを有する。温湿度センサ８１０はプリンタ２の周囲の環境情報を検知するセンサであり、具体的には、たとえば気温と湿度を検知するセンサである。センサ制御部８０９は、温湿度センサ８１０を制御し、検出した気温及び湿度をＣＰＵ８０１へ転送する。プリンタ２は、ＣＰＵ８０１、ＲＯＭ８０２、ＲＡＭ８０３、通信Ｉ／Ｆ８０４、外部記憶装置８０５、入力部８０６、表示部８０７、プリント部８０８、センサ制御部８０９を接続するバスを有する。
【００２８】
ＣＰＵ８０１は、ホスト装置１から通知された印刷設定情報について、検知手段が検知した環境情報に対して、通知された印刷設定で印刷できるか否かを判断し、印刷できなければ印刷できるように変更した印刷設定情報をホスト装置１に返信する返信手段である。
【００２９】
ホスト装置１は、上記返信された変更がある印刷設定情報を元に、印刷プレビューを表示する表示手段を有する。
【００３０】
次に、ユーザの操作に従う印刷プレビュー制御部１０６を利用した印刷プレビュー表示手順について説明する。
【００３１】
初めに、ユーザはアプリケーション１０２によって任意のドキュメントを作成し、アプリケーション１０２が持つメニュー等から印刷を指示し、印刷ダイアログを起動する。一般的に、アプリケーション１０２が持つ印刷ダイアログからは、プロパティボタン等を押下することによって、選択しているプリンタドライバの設定を確認、または変更することができる。
【００３２】
図３は、プリンタドライバの設定を確認、変更するユーザインタフェース３００を示す図である。
【００３３】
ユーザインタフェース３００は、“原稿サイズ”リストボックス３０１と、“用紙の種類”リストボックス３０２と、“給紙方法”リストボックス３０３と、“印刷プレビューを行う”チェックボックス３０４とを有する。また、ユーザインタフェース３００は、“キャンセル”ボタン３０５と、“ＯＫ”ボタン３０６と、“印刷後カットを行う”チェックボックス３０７と、“マージン設定”表示部３０８とを有する。
【００３４】
“原稿サイズ”リストボックス３０１は、ユーザが原稿のサイズを設定するボックスであり、ここでは、原稿の大きさとしてＡ２を設定している。“用紙の種類”リストボックス３０２は、用紙の種類を設定するボックスであり、ここでは、光沢紙を設定している。
【００３５】
“給紙方法”リストボックス３０３は、印刷する際の給紙方法を設定するボックスであり、ここでは、ロール紙を設定している。
【００３６】
“印刷プレビューを行う”チェックボックス３０４は、印刷前に印刷プレビューを起動するか否かを設定するボックスであり、設定をオンにすることによって、印刷前に印刷プレビュー処理を起動する。図３では、印刷前に印刷プレビューを起動する設定をオンにした状態を示している。
【００３７】
“印刷後カットを行う”チェックボックス３０７は、ロール紙の場合に印刷後カットを行うか否かを設定するボックスであり、設定をオンにすることによって、印刷後にロール紙がカットされる。図３では、ロール紙の場合に印刷後カットを行う設定をオンにしている。“マージン設定”表示部３０８は、現在のマージンを表示し、ここでは、上下左右５ｍｍが表示されている。
【００３８】
以上の設定がされた状態で、“ＯＫ”ボタン３０６を押下することによって、設定が確定し、プリンタドライバのユーザインタフェース表示が終了する。
【００３９】
なお、“キャンセル”ボタン３０５を押下すると、変更した設定が有効にならず、プリンタドライバが持つ初期設定、または、以前に設定した内容が用いられ、プリンタドライバのユーザインタフェース表示が終了する。
【００４０】
プリンタドライバの設定を終了した後に、アプリケーションの印刷ダイアログから印刷開始ボタン等のコントロールを押下することによって、プリンタドライバに文書データが渡される。上記のように、プリンタドライバの設定で、“印刷プレビューを行う”チェックボックス３０４をオンに設定した場合、文書データは、印刷プレビュー制御部１０６に渡され、印刷プレビューの起動処理が開始される。
【００４１】
図４は、印刷プレビュー制御部１０６が印刷プレビューを表示するユーザインタフェース４００を示す図である。
【００４２】
ユーザインタフェース４００は、印刷プレビューダイアログ４０１と、印刷プレビュー表示部４０２と、用紙イメージ４０３と、設定表示・変更部４０４と、給紙方法リストボックス４０５とを有する。また、ユーザインタフェース４００は、ロール紙幅リストボックス４０６と、用紙の種類リストボックス４０７と、印刷ボタン４０８と、キャンセルボタン４０９と、プリンタ情報更新ボタン４１０と、印刷設定情報表示部４１１とを有する。
【００４３】
印刷プレビューダイアログ４０１は、印刷プレビュー表示部４０２と、設定表示・変更部４０４とによって構成されている。
【００４４】
印刷プレビュー表示部４０２に、用紙イメージ４０３が表示される。設定表示・変更部４０４は、給紙方法リストボックス４０５と、ロール紙幅リストボックス４０６と、用紙の種類リストボックス４０７と、印刷ボタン４０８と、キャンセルボタン４０９と、プリンタ情報更新ボタン４１０とによって構成されている。ただし、これは一例に過ぎず、設定表示・変更部には、用紙種類、用紙サイズ、カット設定、レイアウト情報の少なくとも１つが表示され変更が可能であれば良い。さらに、これらに加えて他の印刷設定が変更可能に表示されていてもよい。
【００４５】
給紙方法リストボックス４０５で指定された給紙方法の用紙イメージが、用紙イメージ４０３に表示される。ロール紙幅リストボックス４０６で指定されたロール紙幅の用紙イメージが、用紙イメージ４０３に表示される。用紙の種類リストボックス４０７で指定された用紙の種類の印刷設定を行う。印刷設定情報表示部４１１は、印刷設定に関連した情報を表示する。
【００４６】
ユーザは、印刷プレビュー表示部４０２に表示されている印刷イメージを確認し、この内容で印刷を行いたければ、印刷ボタン４０８を押すことによって、印刷データをプリンタ２へ出力し、印刷する。印刷プレビュー表示部４０２に表示される印刷イメージを確認し、印刷しない場合、キャンセルボタン４０９を押すことによって、印刷プレビューダイアログ４０１を閉じる。また、プリンタ情報更新ボタン４１０を押すことによって、プリンタ２に現在設定されている各設定情報を、プリンタ２から、プリンタ情報取得部１０７が取得する。
【００４７】
実施例１において、印刷プレビュー制御部１０６がプリンタ２との情報を送受信する際に、プリンタ情報取得部１０７を介して送受信する。
【００４８】
図５は、プリンタ２の環境情報判断処理を示すフローチャートである。図５のフローチャートは、プリンタ２のＲＯＭ８０２に格納され、プリンタ２のＣＰＵ８０１によって実行される。
【００４９】
プリンタ２は、受信した印刷ジョブの属性情報を取得し、実際の印刷で使用する設定値を決定する。まず、ステップＳ１０１で、印刷ジョブの用紙サイズ幅と用紙の種類、その他の属性情報を取得する。
【００５０】
ステップＳ１０２で、プリンタ２に装着されている温湿度センサから、温湿度情報を取得する。ステップＳ１０３で、印刷ジョブの属性情報と、温湿度とから、属性情報で設定されている設定値で印字可能かどうかを判定する。可能であれば、ステップＳ１０４へ進み、属性情報で設定されている設定値を、実際に印字で使用する設定値に決定する。ステップＳ１０３で不可能であると判定されると、ステップＳ１０５へ進む。ステップＳ１０５で、温湿度環境によって、印字不可能とされた設定値について、印字可能となるように設定値を変更する。
【００５１】
次に、プレビュー処理について説明する。
【００５２】
図６は、プレビュー処理の概要を示すフローチャートである。ここで、図６のステップＳ２０１、Ｓ２０２、Ｓ２０３、Ｓ２０６、Ｓ２０７の処理は、ホスト装置１のＣＰＵ２０１により実行され、Ｓ２０４、Ｓ２０５は、プリンタ２のＣＰＵ８０１により実行される。
【００５３】
まず、ステップＳ２０１で、印刷プレビューダイアログ４０１を表示する。次にステップＳ２０２で、ユーザインタフェース部１０４からプリンタドライバの設定を取得する。ここでは、取得したプリンタドライバの設定は、用紙の種類が光沢紙、用紙サイズがＡ２、給紙方法がロール紙、マージン設定が上下左右５ｍｍ、印刷後カットを行うが有効であるとする。
【００５４】
次に、ステップＳ２０３で、取得したプリンタドライバの設定を、プリンタ２に通知する。ここでは、用紙の種類：光沢紙、用紙サイズ：Ａ２、給紙方法：ロール紙、マージン設定：上下左右５ｍｍ、印刷後カットを行う：有効であるとする。そして、ステップＳ２０４の環境情報判断へ進む。環境情報判断については、図５に説明したとおりであるが、さらに、具体的に説明する。
【００５５】
まず、ステップＳ１０１で、プリンタ２は、印刷ジョブの用紙の種類、用紙サイズ、給紙方法、マージン設定、印刷後カットを行う設定を取得する。ここでは、取得した用紙の種類と用紙サイズ、給紙方法、マージン設定、印刷後カットを行う設定は、用紙の種類：光沢紙、用紙サイズ：Ａ２、給紙方法：ロール紙、マージン設定：上下左右５ｍｍ、印刷後カットを行う設定：有効であるとする。
【００５６】
次に、ステップＳ１０２で、プリンタ２の温湿度センサ８１０から温湿度情報を取得する。ステップＳ１０３で、取得した温湿度環境において、光沢紙でマージン設定上下左右５ｍｍ、印刷後カットが可能かどうかを判定する。可能であれば、ステップＳ１０４へ進む。ステップＳ１０３で、不可能であれば、Ｓ１０５へ進み、取得した温湿度環境において印字可能となるようにマージン設定、印刷後カットを行う設定を変更する。ここでは、下マージンを２０ｍｍ、印刷後カットを行う設定を無効に変更する。
【００５７】
次に、ステップＳ２０５では、ステップＳ２０４で決定した属性情報をホスト装置に送信する。ここでは、下マージン２０ｍｍ、印刷後カットを行う設定無効をホスト装置に送信する。この場合、必要な情報だけを送信するようにしてもよく、また、全ての情報を送信するようにしてもよい。
【００５８】
次に、ステップＳ２０６で、印刷プレビュー制御部１０６は、プリンタ２が送信した属性情報を取得する。ここでは、取得したマージン設定、印刷後カットを行う設定の情報は、マージン：上５ｍｍ、下２０ｍｍ、右５ｍｍ、左５ｍｍ、印刷後カットを行う設定：無効である。次に、ステップＳ２０７で、取得した属性情報に基づいて、印刷プレビュー表示を行う。
【００５９】
図７は、印刷プレビューのユーザインタフェース４００を示す図である。
【００６０】
原稿イメージ下側の網掛け部は、下マージンが変更されたことによって、印刷されなくなる部分であることを示している。また、原稿下側の印刷設定情報表示部４１１には、印刷後に自動カットが行われないことを表示してユーザに通知する。
【００６１】
ここで、現在表示されている内容で印刷する場合、印刷ボタン４０８を押すと、印刷ジョブをプリンタ２に送信する。現在表示されている内容で印刷せずに、印刷プレビュー処理を終了する場合、キャンセルボタン４０９を押す。また、「プリンタ情報更新」ボタンを押すと、ステップＳ２０３以降の処理を実行し、現在の属性情報を更新し、印刷プレビューの表示を更新する。
【００６２】
上記実施例によれば、プリンタドライバの印刷設定に従って印刷した場合、従来は印刷するまでプリンタ側でどのような属性情報の変更が行われるかがわからなかったが、印刷前にどのように印刷されるのかを把握することができる。つまり、ユーザが意図しない印刷をしてしまうことを未然に防ぐことができる。
【符号の説明】
【００６３】
１００…印刷システム、
１…ホスト装置、
２…プリンタ、
１０６…印刷プレビュー制御部、
１０７…プリンタ情報取得部。
【図１】
2010282427.tif 000003
【図２】
2010282427.tif 000004
【図３】
2010282427.tif 000005
【図４】
2010282427.tif 000006
【図５】
2010282427.tif 000007
【図６】
2010282427.tif 000008
【図７】
2010282427.tif 000009
【図８】
2010282427.tif 000010